(57)【要約】【課題】正確にコンピュータのキーボードのスクリーン上のカーソル位置を制御することができる無線キーボードのレーザートラックボール装置を提供する。【解決手段】ベースとレーザー光源生成器、トラックボール、光学センサ及びキー蓋が含有され、ベース、レーザー光学モジュールとトラックボール及び光学センサが組み立てられ、光学センサはトラックボールの移動方向と距離を検知して算出し、また、同期に、コンピュータスのクリーン上のカーソル位置を制御する。【選択図】図２
0003125543.tif 000002
【実用新案登録請求の範囲】
【請求項１】
レーザー光学モジュールが組立てられ、側板の定位孔に、レーザー光源生成器が組立てられ、頂板に、対応するトラックボールを引受けるための引受け孔が貫設され、収納空間内に、光学センサが組立てられ、底板が、キーボード基板上のほぞに係合されるベースと、
レーザー光をトラックボールの底部表面に照射するレーザー光源生成器と、
転動できるように当該ベースの頂板にある引受け孔内に設けられ、底端が、当該引受け孔の下方から突出するトラックボールと、
所定の時間に基づいて当該トラックボールの底部の表面が反射したレーザー干渉縞を捕獲し、また、当該トラックボールの移動方向と距離を算出する光学センサと、
当該ベースの周縁を完全に覆うような枠体で、上面に、円形孔が貫設されるキー蓋と、
が含有される、ことを特徴とする無線キーボードのレーザートラックボール装置。
【請求項２】
当該引受け孔の周縁が、斜面である円弧凹み曲面であることを特徴とする請求項１に記載の無線キーボードのレーザートラックボール装置。
【請求項３】
当該キー蓋の側板の底端にある係合槽に、対応する当該ベースの側板の底端にある係合フックが係合されて、当該キー蓋と当該ベースが、一体に組立てられることを特徴とする請求項１に記載の無線キーボードのレーザートラックボール装置。
【考案の詳細な説明】
【技術分野】
【０００１】
本考案は、無線キーボードのレーザートラックボール装置に関し、特に、レーザー光学モジュールを利用するキーボードトラックボール装置に関する。
【背景技術】
【０００２】
従来のコンピュータは、マウスやトラックボール装置により、コンピュータスクリーン上のカーソルを変位し、従来の機械式マウスは、その機構の体積が大きいため、軽薄小型化の要求に満足できず、また、従来の光学マウスが卓面で摺動する時、埃や雑物が、マウスの底部の開口からハウジングの内部に侵入することにより、発射光源と受光光源とが検知し難くて使用できなくなる。
【考案の開示】
【考案が解決しようとする課題】
【０００３】
本考案の主な目的は、構造全体が軽薄小型で、また、レーザー光学モジュールの精密検知信号による高分解能により、同期に、精確にキーボードスクリーン上のカーソル位置を制御できる無線キーボードのレーザートラックボール装置を提供する。
【課題を解決するための手段】
【０００４】
請求項１の考案は、レーザー光学モジュールが組立てられ、側板の定位孔に、レーザー光源生成器が組立てられ、頂板に、対応するトラックボールを引受けるための引受け孔が貫設され、収納空間内に、光学センサが組立てられ、底板が、キーボード基板上のほぞに係合されるベースと、レーザー光をトラックボールの底部表面に照射するレーザー光源生成器と、転動できるように当該ベースの頂板にある引受け孔内に設けられ、底端が、当該引受け孔の下方から突出するトラックボールと、所定の時間に基づいて当該トラックボールの底部の表面が反射したレーザー干渉縞を捕獲し、また、当該トラックボールの移動方向と距離を算出する光学センサと、当該ベースの周縁を完全に覆うような枠体で、上面に、円形孔が貫設されるキー蓋と、が含有される、ことを特徴とする無線キーボードのレーザートラックボール装置である。
【０００５】
請求項２の考案は、当該引受け孔の周縁が、斜面である円弧凹み曲面であることを特徴とする請求項１に記載の無線キーボードのレーザートラックボール装置である。
【０００６】
請求項３の考案は、当該キー蓋の側板の底端にある係合槽に、対応する当該ベースの側板の底端にある係合フックが係合されて、当該キー蓋と当該ベースが、一体に組立てられることを特徴とする請求項１に記載の無線キーボードのレーザートラックボール装置である。
【考案を実施するための最良の形態】
【０００７】
本考案は、図１乃至３を参照しながら、無線キーボードのレーザートラックボール装置であり、当該レーザートラックボール装置は、キーボード１０の基板１１上に組み立てられ、ベース２０とレーザー光源生成器２３、トラックボール２６、光学センサ２７及びキー蓋３０が含有され、当該ベース２０内に、レーザー光学発射と検知モジュールが設けられ、当該ベース２０の底板２１が、キーボード基板１１上のほぞ１２に係合して固定され、当該ベース２０の側板２２に、レーザー光源生成器２３を実装するための定位孔２２１が貫設され、当該ベース２０の頂板２５に、引受け孔２５１が貫設され、また、当該引受け孔２５１の周縁が、精確にトラックボール２６を引受けるための斜面である円弧凹み曲面２５２であり、当該ベース２０の頂板２５と底板２１との間に、収納空間２４が形成され、また、当該収納空間２４内に光学センサ２７が実装される。
【０００８】
当該レーザー光源生成器２３は、半導体レーザー光源を発射するレーザーダイオード（Ｌａｓｅｒ  Ｄｉｏｄｅ）であり、レーザーユニットは、軽薄小型で、消費パワーを節約できる効果が得られ、また、レーザー光が、単一周波数である高効率の単色光源であるため、トラックボール２６により反射されたレーザー光が干渉縞になり、これにより、検知ユニットと信号解析回路が、精確にトラックボール２６の移動方位を算出できる。
【０００９】
当該トラックボール２６は、転動できるように、当該ベース２０の引受け孔２５１に実装される球体であり、また、当該トラックボール２６の底端が、当該引受け孔２５１の下方から突出し、これにより、当該レーザー光源生成器２３が生成したレーザー光が、直接に当該トラックボール２６の底部表面に照射することができ、そして、レーザー光線が反射され、また、当該トラックボール２６は、直径が約５ｍｍである小体積の球体である。
【００１０】
当該光学センサ２７は、当該ベース２０の収納空間２４内に位置付けられるように、回路板２８上に組み立てられ、また、所定の時間に基づいて当該トラックボール２６の底部表面から反射されたレーザー干渉縞を捕獲や検知し、そして、信号解析回路により精確に当該トラックボール２６の移動方向と距離を算出し、そのため、同期にコンピュータのスクリーン上のカーソル位置を制御できる。
【００１１】
当該キー蓋３０は、当該ベース２０の周縁を完全に覆うような枠体であり、当該キー蓋３０の上面に円形孔３６が貫設され、これにより、当該トラックボール２６の上部表面が、当該円形孔３６から上へ突出するようになり、ユーザーが指で当該トラックボール２６を動かすことにより、同期にコンピュータスクリーン上のカーソル位置を調整でき、また、当該キー蓋３０の側板の底端に位置する係合槽３９が、対応する当該ベース２０側板の底端に位置する係合フック２９に係合され、これにより、当該キー蓋３０と当該ベース２０とが、軽薄小型なレーザートラックボール装置に組み立てられる。
【００１２】
図４を参照しながら、本考案に係わる計画小型のレーザートラックボール装置は、携帯電話４０のキーボード基板に実装されることができ、即ち、携帯電話に実装される当該キー蓋３０とトラックボール２６は、体積を適当な大きさに縮小でき、携帯電話４０に実装されるトラックボール２６は、直径が５ｍｍ以下の小体積である球体で、また、計画小型であるレーザー光学モジュールによる検知信号の高分解能効果により、精確に携帯電話のキーボードのスクリーン上のカーソル位置を制御できる。
【００１３】
以上の説明から分かるように、本考案は、次の利点が得られる。
【００１４】
本考案に係わる無線キーボードのレーザートラックボール装置は、軽薄小型の半導体レーザー光学モジュールにより、当該光学センサ２７により精確に当該トラックボール２６の転動表面から反射されたレーザー干渉縞信号を捕獲でき、これにより、検知信号の高分解能効果が得られ、また、本考案に適用されるレーザーユニットにより、軽薄小型や低消費パワーの効果が得られ、また、本考案に係わるレーザートラックボール装置は、一体に、当該キー蓋３０とベース２０内に組み立てられるため、装置全体の構造が簡単で、且つ組立てが容易であるため、精密にカーソル位置を制御することができる。
【図面の簡単な説明】
【００１５】
【図１】本考案の組立て構造概念図
【図２】本考案の立体分解構造概念図
【図３】本考案の断面構造概念図
【図４】本考案の他の実施例の組立て構造概念図
【符号の説明】
【００１６】
１０      キーボード 
１１      基板
１２      ほぞ
２０      ベース
２１      底板 
２２      側板
２３      レーザー光源生成器
２４      収納空間 
２５      頂板
２６      トラックボール
２７      光学センサ
２８      回路板
２９      係合フック
３０      キー蓋
３６      円形孔
３９      係合槽
４０      携帯電話
２２１    定位孔
２５１    引受け孔
２５２    円弧凹み曲面
【図１】
0003125543.tif 000003
【図２】
0003125543.tif 000004
【図３】
0003125543.tif 000005
【図４】
0003125543.tif 000006